(57)【要約】【課題】撮影光の入射方向の違いによって異なる撮影条件を比較的容易に、且つ確実に適正化して露出条件を設定する。【解決手段】少なくとも撮像方向を含み、互いに異なる方向の光量を検出する複数の光検出部７ａ〜７ｆを配設し、これら光検出部７ａ〜７ｆで検出した複数方向の各光量により光源の方向及び光量を推定する。【選択図】　　図１
2004129035.tif 000002
【特許請求の範囲】
【請求項１】
少なくとも撮像方向を含み、互いに異なる方向の光量を検出する複数の光量検出手段と、
これら光量検出手段で検出した複数方向の各光量により光源の方向及び光量を推定する光量推定手段と
を具備したことを特徴とする撮像装置。
【請求項２】
周囲の光量を検出する光量検出手段と、
この光量検出手段を被覆する多面体でなり、撮像方向に対する面を含む複数の面の遮光状態を選択的に切換可能な遮光手段と、
この遮光手段により複数の面での遮光状態の選択的な切換動作に対応して上記光量検出手段で検出される複数方向の各光量によって、光源の方向及び光量を推定する光量推定手段と
を具備したことを特徴とする撮像装置。
【請求項３】
上記撮像装置は撮像素子を用いたデジタルカメラであり、
上記光量検出手段は、撮像方向の光量を検出する上記撮像素子を含む
ことを特徴とする請求項１記載の撮像装置。
【請求項４】
上記光量推定手段で推定した結果から被写体の最適な撮影方向を決定する撮影方向決定手段と、
この撮影方向決定手段で決定した撮影方向を指示する指示手段と
をさらに具備したことを特徴とする請求項１または２記載の撮像装置。
【請求項５】
被写体を照光する照光手段と、
上記光量推定手段での推定結果から被写体像が適正な撮影条件下にあるか否かを判断する判断手段と、
この判断手段での判断結果に基づいて撮影時に上記照光手段により被写体を照光させる照光制御手段と
をさらに具備したことを特徴とする請求項１または２記載の撮像装置。
【請求項６】
上記光量推定手段での推定結果から被写体像が適正な撮影条件下にあるか否かを判断する判断手段と、
この判断手段で適正な撮影条件下にないと判断した際に警告する警告手段と
をさらに具備したことを特徴とする請求項１または２記載の撮像装置。
【請求項７】
上記光量推定手段での推定結果から被写体像が適正な撮影条件下にあるか否かを判断する判断手段と、
この判断手段で適正な撮影条件下にないと判断した際に露出条件を補正する補正手段と
をさらに具備したことを特徴とする請求項１または２記載の撮像装置。
【請求項８】
上記撮像装置は撮像により画像データを得るデジタルカメラであり、
上記光量推定手段での推定結果から被写体像が適正な撮影条件下にあるか否かを判断する判断手段と、
この判断手段で適正な撮影条件下にないと判断した際に、撮影により得た画像データを補正する補正手段と
をさらに具備したことを特徴とする請求項１または２記載の撮像装置。
【請求項９】
少なくとも撮像方向を含み、互いに異なる方向の光量を検出する光量検出工程と、
この光量検出工程で検出した複数方向の各光量により光源の方向及び光量を推定する光量推定工程と
を有したことを特徴とする撮像方法。
【発明の詳細な説明】
【０００１】
【発明の属する技術分野】
本発明は、特にデジタルカメラに好適な撮像装置及び撮像方法に関する。
【０００２】
【従来の技術】
近時、銀塩フィルムを用いたカメラ（以下「銀塩カメラ」と称する）に代わって、個体撮像素子による撮影で被写体の画像データを得ることが可能なデジタルスチルカメラが広く一般に普及している。
【０００３】
この種のデジタルスチルカメラでも、銀塩カメラと同様、撮影エリア全体の光量あるいは撮影エリア中の特定の点位置の光量を測定して露出条件を決定している。
【０００４】
また、交換レンズあるいはズームレンズに対応し、レンズの撮影画角に一致した自動調光ストロボの測光を行なうようにしたものがある（例えば、特許文献１参照。）。
【０００５】
さらに、焦点距離に応じて測光範囲の重みづけを異ならせることで、焦点機能に応じた適正な被写体輝度を算出するようにしたものもある（例えば、特許文献２参照。）。
【０００６】
【特許文献１】
特開平４−３３２２７３号公報
【０００７】
【特許文献２】
特開平１０−１９７９１３号公報
【０００８】
【発明が解決しようとする課題】
しかしながら、上記した従来の技術は、いずれも撮影エリアとその付近の測光を行なうのみであり、撮影光の入射方向の違いによって異なる撮影条件を確実に適正化する手段を持たなかった。
【０００９】
例えば、逆光が生じている状態をマルチパターン測光により判断することが可能なものがあるが、これは撮影光の入射方向には直接関係なく、被写体像の明暗パターンと予めプログラムされている明暗パターンとが一致した場合にのみ逆光であると判断するもので、被写体像の暗部が撮影エリアの測光ポイントからずれている場合や、プログラムされていない明暗パターンなどには対応できない。
【００１０】
このように撮影光の入射方向に適正に対処するためには、ユーザがマニュアルモードで自ら様々な撮影条件を勘案して手動操作しなければならないが、そのためには専門的な知識が必要であり、一般的なユーザが簡単に対処できるものではなかった。
【００１１】
本発明は上記のような実情に鑑みてなされたもので、その目的とするところは、撮影光の入射方向の違いによって異なる撮影条件を比較的容易に、且つ確実に適正化して露出条件を設定することが可能な撮像装置及び撮像方法を提供することにある。
【００１２】
【課題を解決するための手段】
請求項１記載の発明は、少なくとも撮像方向を含み、互いに異なる方向の光量を検出する複数の光量検出手段と、これら光量検出手段で検出した複数方向の各光量により光源の方向及び光量を推定する光量推定手段とを具備したことを特徴とする。
【００１３】
このような構成とすれば、撮影光の入射方向とその光量とを推定できるため、その推定結果に応じて露出条件を適切に設定することができる。
【００１４】
請求項２記載の発明は、周囲の光量を検出する光量検出手段と、この光量検出手段を被覆する多面体でなり、撮像方向に対する面を含む複数の面の遮光状態を選択的に切換可能な遮光手段と、この遮光手段により複数の面での遮光状態の選択的な切換動作に対応して上記光量検出手段で検出される複数方向の各光量によって、光源の方向及び光量を推定する光量推定手段とを具備したことを特徴とする。
【００１５】
このような構成とすれば、光量検出手段で多くの受光素子を用いることなく、また装置の把持の仕方等に制約を与えることなく、撮影光の入射方向とその光量とを推定できるため、その推定結果に応じて露出条件を適切に設定することができる。
【００１６】
請求項３記載の発明は、上記請求項１記載の発明において、上記撮像装置は撮像素子を用いたデジタルカメラであり、上記光量検出手段は、撮像方向の光量を検出する上記撮像素子を含むことを特徴とする。
【００１７】
このような構成とすれば、上記請求項１記載の発明の作用に加えて、光量検出手段をなす受光素子の数を減らし、装置構成を簡略化できる。
【００１８】
請求項４記載の発明は、上記請求項１または２記載の発明において、上記光量推定手段で推定した結果から被写体の最適な撮影方向を決定する撮影方向決定手段と、この撮影方向決定手段で決定した撮影方向を指示する指示手段とをさらに具備したことを特徴とする。
【００１９】
このような構成とすれば、上記請求項１または２記載の発明の作用に加えて、指示に従って正しい撮影方向から撮影を実施できるので、撮影ミスを減らすことができる。
【００２０】
請求項５記載の発明は、上記請求項１または２記載の発明において、被写体を照光する照光手段と、上記光量推定手段での推定結果から被写体像が適正な撮影条件下にあるか否かを判断する判断手段と、この判断手段での判断結果に基づいて撮影時に上記照光手段により被写体を照光させる照光制御手段とをさらに具備したことを特徴とする。
【００２１】
このような構成とすれば、上記請求項１または２記載の発明の作用に加えて、例えばデイライトシンクロなどのような技法を用いた撮影を自動的に実行でき、ユーザに負担をかけることなく撮影ミスを減らすことができる。
【００２２】
請求項６記載の発明は、上記請求項１または２記載の発明において、上記光量推定手段での推定結果から被写体像が適正な撮影条件下にあるか否かを判断する判断手段と、この判断手段で適正な撮影条件下にないと判断した際に警告する警告手段とをさらに具備したことを特徴とする。
【００２３】
このような構成とすれば、上記請求項１または２記載の発明の作用に加えて、警告に従ってユーザが撮影条件を変えることで、撮影ミスを減らすことができる。
【００２４】
請求項７記載の発明は、上記請求項１または２記載の発明において、上記光量推定手段での推定結果から被写体像が適正な撮影条件下にあるか否かを判断する判断手段と、この判断手段で適正な撮影条件下にないと判断した際に露出条件を補正する補正手段とをさらに具備したことを特徴とする。
【００２５】
このような構成とすれば、上記請求項１または２記載の発明の作用に加えて、露出条件を補正した上で撮影に移行するため、撮影ミスを減らすことができる。
【００２６】
請求項８記載の発明は、上記請求項１または２記載の発明において、上記撮像装置は撮像により画像データを得るデジタルカメラであり、上記光量推定手段での推定結果から被写体像が適正な撮影条件下にあるか否かを判断する判断手段と、この判断手段で適正な撮影条件下にないと判断した際に、撮影により得た画像データを補正する補正手段とをさらに具備したことを特徴とする。
【００２７】
このような構成とすれば、上記請求項１または２記載の発明の作用に加えて、シャッタチャンスを逃さず撮影を実行し、デジタルカメラの利点を活かして撮影により得た画像データに必要な補正を施した上で媒体に記録できる。
【００２８】
請求項９記載の発明は、少なくとも撮像方向を含み、互いに異なる方向の光量を検出する光量検出工程と、この光量検出工程で検出した複数方向の各光量により光源の方向及び光量を推定する光量推定工程とを有したことを特徴とする。
【００２９】
このような方法とすれば、撮影光の入射方向とその光量とを推定できるため、その推定結果に応じて露出条件を適切に設定することができる。
【００３０】
【発明の実施の形態】
（第１の実施の形態）
以下本発明をデジタルスチルカメラ（以下「デジタルカメラ」と略称する）に適用した場合の第１の実施の形態について図面を参照して説明する。
【００３１】
図１は、主に背面側からの外観構成を示すもので、１がデジタルカメラである。このデジタルカメラ１の背面には、モニタ表示部２、十字キー３、及び決定キー４が配設される。
【００３２】
モニタ表示部２は、撮影モードではその時点で撮像している内容をモニタリングするためのファインダとして機能する一方で、再生モードでは記録されている画像データを再生表示する。
【００３３】
十字キー３は、各種項目を選択／更新するべく上下左右各方向キーが一体に設けられたもので、決定キー４は、上記十字キー３で選択した内容を決定して実行する。
【００３４】
デジタルカメラ１の上面には、その右端にシャッタキー５が配設される他、各種メニューキー６が配設される。
【００３５】
このデジタルカメラ１においては、シャッタキー５は２段階のストロークで動作し、一般的に「半押し」と表現されている第１段階の操作状態でＡＦ（自動合焦）、ＡＥ（自動露出）を始めとする撮影の準備を行ない、一般的に「全押し」と表現されている、より強く押圧操作した第２段階の操作状態で撮影を実行するものとする。
【００３６】
なお、ここでは図示しないが、当然ながらデジタルカメラ１の前面にはレンズ鏡筒やストロボ等が配設される。
【００３７】
しかして、このデジタルカメラ１の筐体を構成する全６面すべてに対して、操作に支障を与えない位置を選択して光検出部７ａ〜７ｆが配設される。これら光検出部７ａ〜７ｆは、それぞれ対向している方向の光量を検出するべくレンズと受光素子とを埋設して構成される。
【００３８】
次に図２により上記デジタルカメラ１に内蔵される電子回路の構成について説明する。
このデジタルカメラ１は、基本モードとして撮影モードと再生モードとを切換えて設定可能であり、撮影モードでのモニタリング状態においては、モータ１１の駆動により合焦位置や絞り位置が移動されるレンズ光学系１２の撮影光軸後方に配置された固体撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００３９】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換されてカラープロセス回路１８へ出力される。
【００４０】
上記カラープロセス回路１８は、Ａ／Ｄ変換器１７から送られてくる画像のデジタルデータに対する画素補間処理及びγ補正処理を含むカラープロセス処理を行ない、デジタル値の輝度信号Ｙ及び色差信号Ｃｂ，Ｃｒを生成してＤＭＡ（Ｄｉｒｅｃｔ　Ｍｅｍｏｒｙ　Ａｃｃｅｓｓ）コントローラ１９に出力する。
【００４１】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送出力する。
【００４２】
制御部２２は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００４３】
デジタルビデオエンコーダ２５は、上記輝度及び色差信号をＶＲＡＭコントローラ２３を介してＶＲＡＭ２４より定期的に読出し、これらのデータを元にビデオ信号を発生して上記モニタ表示部２に出力する。
【００４４】
モニタ表示部２は、例えばバックライト付のカラー液晶表示パネルとその駆動回路とで構成され、撮影モード時には電子ファインダとして機能するもので、デジタルビデオエンコーダ２５からのビデオ信号に基づいた表示を行なうことで、その時点でＶＲＡＭコントローラ２３から取込んでいる画像情報に基づく画像を表示する。
【００４５】
このようにモニタ表示部２にその時点での画像をモニタ画像としてリアルタイムに表示させている状態で、静止画撮影を行ないたいタイミングでキー入力部２６を構成する複数のキー中の上記シャッタキー５を操作すると、トリガ信号を発生する。
【００４６】
制御部２２は、このトリガ信号に応じてその時点でＣＣＤ１３から取込んでいる１フレーム分の輝度及び色差信号のＤＲＡＭ２１へのＤＭＡ転送の終了後、直ちにＣＣＤ１３からＤＲＡＭ２１への経路を停止し、記録保存の状態に遷移する。
【００４７】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ　Ｐｈｏｔｏｇｒａｐｈ　ｃｏｄｉｎｇ　Ｅｘｐｅｒｔｓ　Ｇｒｏｕｐ）回路２７に書込み、このＪＰＥＧ回路２７でＡＤＣＴ（Ａｄａｐｔｉｖｅ　Ｄｉｓｃｒｅｔｅ　Ｃｏｓｉｎｅ　Ｔｒａｎｓｆｏｒｍ：適応離散コサイン変換）、エントロピ符号化方式であるハフマン符号化等の処理によりデータ圧縮する。
【００４８】
そして、得た符号データを１フレームのデータファイルとして該ＪＰＥＧ回路２７から読出し、このデジタルカメラ１の記録媒体として着脱自在に装着される、不揮発性メモリであるフラッシュメモリを封入したメモリカード２８に書込む。
【００４９】
そして、１フレーム分の輝度及び色差信号の圧縮処理及びメモリカード２８への全圧縮データの書込み終了に伴なって、制御部２２はＣＣＤ１３からＤＲＡＭ２１への経路を再び起動する。
【００５０】
なお、制御部２２にはさらに、ストロボ制御部２９、受光制御部３０、音声処理部３１が接続される。
ストロボ制御部２９は、撮影時に例えばキセノン管でなるストロボランプ３２を閃光駆動させる。
【００５１】
受光制御部３０は、上記光検出部７ａ〜７ｆを構成する受光素子を駆動してそれぞれの出力信号により対向している各方向の光量を検出して制御部２２へ送出する。
【００５２】
音声処理部３１は、制御部２２から与えられる音声信号を音声合成してスピーカ（ＳＰ）３３を拡声駆動することにより、ガイドメッセージや警告音等を音声出力する。
【００５３】
次に上記実施の形態の動作について説明する。
図３は、基本モードとして撮影モードが選択されている状態で主として制御部２２が実行する処理内容を示すものである。
その処理当初には、ＣＣＤ１３で撮像している画像をそのままバッファメモリであるＤＲＡＭ２１に保持し、モニタ表示部２で表示させるモニタリング状態を維持しながら、キー入力部２６のシャッタキー５が半押し操作されたか否かを判断する（ステップＡ０１）処理を繰返すことで、該シャッタキー５が半押し操作されるのを待機する。
【００５４】
シャッタキー５が半押し操作されると、ステップＡ０１でこれを判断し、ＡＦ処理、ＡＥ処理を実行した後に（ステップＡ０２）、受光制御部３０により光検出部７ａ〜７ｆを一斉に駆動してそれぞれの出力信号により各方向の光量を検出する（ステップＡ０３）。
【００５５】
そして、検出した方向の各光量の相対値により光源の方向を推定すると共に、同絶対値により光源の光量を推定する。
【００５６】
ここで、例えばデジタルカメラ１のレンズ鏡筒がある、撮像方向である前面側に設けられた光検出部７ｂの検出出力が、デジタルカメラ１の背面側に設けられた光検出部７ｃの検出出力より一定の割合を越えて大きい場合、被写体像が逆光となっている可能性がきわめて高いため、上記ステップＡ０２のＡＥ処理で得た露出値（ＥＶ値）に対し、所定の幅、例えば「１．０」だけプラス方向に補正する、といった露出補正処理を適宜施す（ステップＡ０４）。
【００５７】
その後、上記シャッタキー５が全押し操作されたか否か（ステップＡ０５）、まだシャッタキー５の半押し操作状態が維持されているか否か（ステップＡ０６）を繰返し判断することで、ＡＦ，ＡＥの各状態をロックしながらシャッタキー５が全押し操作されるのを待機する。
【００５８】
ここで、シャッタキー５の半押し状態が解除された場合には、ステップＡ０６でこれを判断し、ＡＦ，ＡＥのロック状態を解いて再び上記ステップＡ０１からの処理に戻る。
【００５９】
また、シャッタキー５が全押し操作された場合、ステップＡ０５でこれを判断し、ロックしているＡＦ，ＡＥの各値に基づいて撮影処理を実行する（ステップＡ０７）。
【００６０】
そして、撮影により得た画像データをＪＰＥＧ回路２７にてデータ圧縮した上で記録媒体であるメモリカード２８に記録設定し（ステップＡ０８）、以上で一連の撮影に関する処理を一旦終了し、次の撮影に備えるべく、再び上記ステップＡ０１からの処理に戻る。
【００６１】
このように、撮像しようとする被写体の方向のみならず、このデジタルカメラ１を取り巻く周囲の照明環境、具体的には光源の方向と光量を正確に認識することにより、例えば上述したようにＡＥ処理で得た露出値を適宜補正するなど、露出条件を適切に設定することができる。
【００６２】
なお、上記実施の形態では、デジタルカメラ１の筐体を構成する全面すなわち６面に対して光検出部７ａ〜７ｆを配設するものとして説明したが、撮像素子であるＣＣＤ１３を光量の検出を行なう素子としても用いることは容易であるため、撮像方向にある光検出部７ｂの構成は省略することができる。
【００６３】
ＣＣＤ１３を光量の検出を行なう素子として用いる時は、光検出部７ａ〜７ｆの素子とは当然違う素子であるため検出出力を絶対値で比較できるようにレベルを合わせる。レベル合わせはＣＣＤ１３を光検出部７ａ〜７ｆの素子に合わせてもよいし、光検出部７ａ〜７ｆの素子をＣＣＤ１３に合わせてもよい。
【００６４】
図４は、本実施の形態の他の構成例として、光検出部７ａ〜７ｆを大幅に簡略化した場合のデジタルカメラ１の構成例を示すもので、図４（Ａ）が前面、図４（Ｂ）が背面の外観である。
【００６５】
同図に示すように、撮像方向にあるデジタルカメラ１前面側には光検出部を設けず、ＣＣＤ１３の出力を用いて撮像方向の光量を検出するものとする。
【００６６】
また、デジタルカメラ１の背面側にのみ、光検出部７ｃを配設する一方で、その他デジタルカメラ１の上面、下面、左側面、及び右側面には一切光検出部を配設しないものとする。
【００６７】
このような構成とすれば、デジタルカメラ１の前面側と背面側の両方向についての光量を検出できるため、上記図１に示した光検出部７ａ〜７ｆの構成に比して非常に簡素なものとしながらも、被写体像が順光と逆光のいずれであるか程度は充分に認識することができる。
【００６８】
（第２の実施の形態）
以下本発明をデジタルスチルカメラ（以下「デジタルカメラ」と略称する）に適用した場合の第２の実施の形態について図面を参照して説明する。
【００６９】
なお、外観上の構成、並びに内部の回路構成については、上記図１及び図２で示したものと基本的に同様であるものとして、同一部分は同一符号を用いるものとし、その図示及び説明は省略する。
【００７０】
次に上記実施の形態の動作について説明する。
図５は、基本モードとして撮影モードが選択されている状態で主として制御部２２が実行する処理内容を示すものである。
その処理当初には、ＣＣＤ１３で撮像している画像をそのままバッファメモリであるＤＲＡＭ２１に保持し、モニタ表示部２で表示させるモニタリング状態を維持しながら、キー入力部２６のシャッタキー５が半押し操作されたか否かを判断する（ステップＢ０１）処理を繰返すことで、該シャッタキー５が半押し操作されるのを待機する。
【００７１】
シャッタキー５が半押し操作されると、ステップＢ０１でこれを判断し、ＡＦ処理、ＡＥ処理を実行した後に（ステップＢ０２）、受光制御部３０により光検出部７ａ〜７ｆを一斉に駆動してそれぞれの出力信号により各方向の光量を検出する（ステップＢ０３）。
【００７２】
そして、検出した方向の各光量の相対値により光源の方向を推定すると共に、同絶対値により光源の光量を推定する。
【００７３】
ここで、例えばデジタルカメラ１のレンズ鏡筒がある、撮像方向である前面側に設けられた光検出部７ｂの検出出力が、デジタルカメラ１の背面側に設けられた光検出部７ｃの検出出力より一定の割合を越えて大きい場合、被写体像が逆光となっている可能性がきわめて高いため、上記ステップＢ０２のＡＥ処理で得た露出値（ＥＶ値）に対し、所定の幅、例えば「１．０」だけプラス方向に補正する、といった露出補正処理を適宜施す（ステップＢ０４）。
【００７４】
また、同時に、モニタ表示部２にて、上記推定した光源の方向を基に、被写体に対する順光が得られる最適な撮影方向をモニタ表示部２に表示する（ステップＢ０５）。
【００７５】
図６は、このようなモニタ表示部２での表示状態を例示するものである。図６（Ａ）に示すようなデジタルカメラ１と被写体Ｓとの位置関係で、光源からの光Ｌが左斜め前方略４５°の方向から照射されていると推定した場合、モニタ表示部２では図６（Ｂ）に示すように左方向への矢印Ａを表示することで、被写体Ｓへ照射される光源からの光Ｌが順光となるように左方向に回り込むことを指示する。
【００７６】
こうしてモニタ表示部２での指示表示を行ないながら、上記シャッタキー５が全押し操作されたか否か（ステップＢ０６）、まだシャッタキー５の半押し操作状態が維持されているか否か（ステップＢ０７）を繰返し判断することで、ＡＦ，ＡＥの各状態をロックしながらシャッタキー５が全押し操作されるのを待機する。
【００７７】
ここで、シャッタキー５の半押し状態が解除された場合には、ステップＢ０７でこれを判断し、ＡＦ，ＡＥのロック状態を解いて再び上記ステップＢ０１からの処理に戻る。
【００７８】
また、シャッタキー５が全押し操作された場合、ステップＢ０６でこれを判断し、ロックしているＡＦ，ＡＥの各値に基づいて撮影処理を実行する（ステップＢ０８）。
【００７９】
そして、撮影により得た画像データをＪＰＥＧ回路２７にてデータ圧縮した上で記録媒体であるメモリカード２８に記録設定し（ステップＢ０９）、以上で一連の撮影に関する処理を一旦終了し、次の撮影に備えるべく、再び上記ステップＢ０１からの処理に戻る。
【００８０】
こうして、撮像しようとする被写体の方向のみならず、このデジタルカメラ１を取り巻く周囲の照明環境、具体的には光源の方向と光量を正確に認識することにより、例えば上述したようにＡＥ処理で得た露出値を適宜補正するなど、露出条件を適切に設定することができる。
【００８１】
加えて、シャッタキー５の半押し状態では、同時に上述した如く最適な撮影方向であると思われる、順光が得られる撮影方向を指示するようにして、光源の方向をユーザに認識させるようにしている。
【００８２】
したがって、このデジタルカメラ１のユーザは、シャッタキー５の半押し状態を解除して移動し、被写体に対する光源からの光の当たり方が異なる位置から再度シャッタキー５を押圧操作するものとして、撮影ミスが生じそうな事態を回避するものとしてもよいし、あるいは意図的にそのままシャッタキー５の全押し操作により撮影を続行するものとしてもよい。
【００８３】
（第３の実施の形態）
以下本発明をデジタルスチルカメラ（以下「デジタルカメラ」と略称する）に適用した場合の第３の実施の形態について図面を参照して説明する。
【００８４】
なお、外観上の構成、並びに内部の回路構成については、上記図１及び図２で示したものと基本的に同様であるものとして、同一部分は同一符号を用いるものとし、その図示及び説明は省略する。
【００８５】
次に上記実施の形態の動作について説明する。
図７は、基本モードとして撮影モードが選択されている状態で主として制御部２２が実行する処理内容を示すものである。
【００８６】
その処理当初には、ＣＣＤ１３で撮像している画像をそのままバッファメモリであるＤＲＡＭ２１に保持し、モニタ表示部２で表示させるモニタリング状態を維持しながら、キー入力部２６のシャッタキー５が半押し操作されたか否かを判断する（ステップＣ０１）処理を繰返すことで、該シャッタキー５が半押し操作されるのを待機する。
【００８７】
シャッタキー５が半押し操作されると、ステップＣ０１でこれを判断し、ＡＦ処理、ＡＥ処理を実行した後に（ステップＣ０２）、受光制御部３０により光検出部７ａ〜７ｆを一斉に駆動してそれぞれの出力信号により各方向の光量を検出する（ステップＣ０３）。
【００８８】
そして、検出した方向の各光量の相対値により光源の方向を推定すると共に、同絶対値により光源の光量を推定する（ステップＣ０４）。
【００８９】
次いで、上記推定した光源の方向から被写体が逆光であるか否かを判断し（ステップＣ０５）、逆光であると判断した場合にのみ、ストロボ制御部２９によりストロボランプ３２発光駆動のための内蔵コンデンサの充電動作を開始させる（ステップＣ０６）。
【００９０】
そして、このストロボランプ３２の発光のオン／オフに対応し、且つ上記ステップＣ０４で推定した光源の方向と光量とに対応して、上記ステップＣ０２のＡＥ処理で得た露出値（ＥＶ値）に対する露出補正処理を適宜施す（ステップＣ０７）。
【００９１】
その後、上記シャッタキー５が全押し操作されたか否か（ステップＣ０８）、まだシャッタキー５の半押し操作状態が維持されているか否か（ステップＣ０９）を繰返し判断することで、ＡＦ，ＡＥの各状態をロックしながらシャッタキー５が全押し操作されるのを待機する。
【００９２】
ここで、シャッタキー５の半押し状態が解除された場合には、ステップＣ０９でこれを判断し、ＡＦ，ＡＥのロック状態を解いて再び上記ステップＣ０１からの処理に戻る。
【００９３】
また、シャッタキー５が全押し操作された場合、ステップＣ０８でこれを判断し、ロックしているＡＦ，ＡＥの各値に基づき、上記ステップＣ０６でストロボランプ３２の充電動作を行なっていた場合は併せてストロボランプ３２を閃光駆動させて撮影処理を実行する（ステップＣ１０）。
【００９４】
そして、撮影により得た画像データをＪＰＥＧ回路２７にてデータ圧縮した上で記録媒体であるメモリカード２８に記録設定し（ステップＣ１１）、以上で一連の撮影に関する処理を一旦終了し、次の撮影に備えるべく、再び上記ステップＣ０１からの処理に戻る。
【００９５】
このように、撮像しようとする被写体の方向のみならず、このデジタルカメラ１を取り巻く周囲の照明環境、具体的には光源の方向と光量を正確に認識することにより、ＡＥ処理で得た露出値を適宜補正するなど、露出条件を適切に設定することができる。
【００９６】
加えて、逆光が生じていると判断した場合には自動的にストロボランプ３２を発光させるようにしたため、デイライトシンクロ等と称される技法を用いた撮影を自動的に実行でき、ユーザに負担をかけることなく撮影ミスを減らすことができる。
【００９７】
なお、上記ストロボランプ３２の発光動作は、被写体像の距離に応じては無駄になることも考えられるため、上記ステップＣ０２のＡＦ処理で得た距離値とストロボランプ３２のガイドナンバー、及びその時点のＣＣＤ１３の感度設定に対応して、ストロボランプ３２での閃光により被写体に照光することができないと判断した場合には、無駄に電源を消費するだけであるので、ストロボランプ３２の発光駆動をキャンセルするものとしてもよい。
【００９８】
（第４の実施の形態）
以下本発明をデジタルスチルカメラ（以下「デジタルカメラ」と略称する）に適用した場合の第４の実施の形態について図面を参照して説明する。
【００９９】
なお、外観上の構成、並びに内部の回路構成については、上記図１及び図２で示したものと基本的に同様であるものとして、同一部分は同一符号を用いるものとし、その図示及び説明は省略する。
【０１００】
次に上記実施の形態の動作について説明する。
図８は、基本モードとして撮影モードが選択されている状態で主として制御部２２が実行する処理内容を示すものである。
【０１０１】
その処理当初には、ＣＣＤ１３で撮像している画像をそのままバッファメモリであるＤＲＡＭ２１に保持し、モニタ表示部２で表示させるモニタリング状態を維持しながら、キー入力部２６のシャッタキー５が半押し操作されたか否かを判断する（ステップＤ０１）処理を繰返すことで、該シャッタキー５が半押し操作されるのを待機する。
【０１０２】
シャッタキー５が半押し操作されると、ステップＤ０１でこれを判断し、ＡＦ処理、ＡＥ処理を実行した後に（ステップＤ０２）、受光制御部３０により光検出部７ａ〜７ｆを一斉に駆動してそれぞれの出力信号により各方向の光量を検出する（ステップＤ０３）。
【０１０３】
そして、検出した方向の各光量の相対値により光源の方向を推定すると共に、同絶対値により光源の光量を推定する（ステップＤ０４）。
【０１０４】
次いで、上記推定した光源の方向と光量の組合わせのパターンを予め設定している同パターンと比較することで、被写体像の撮影条件が不適切であるか否かを判断し（ステップＤ０５）、不適切であると判断した場合にのみ、モニタ表示部２にてその不適切であると判断した撮影条件の内容をモニタ表示部２にて警告表示する（ステップＤ０６）。
【０１０５】
図９は、このようなモニタ表示部２での警告表示状態を例示するものである。図９（Ａ）に示すようなデジタルカメラ１と被写体Ｓとの位置関係で、光源からの光Ｌが被写体Ｓのほぼ後方から照射されていると推定した場合、モニタ表示部２では図９（Ｂ）に示すように「逆光」の警告メッセージＷを例えば右上端部に表示することで、被写体Ｓが逆光であることをユーザに報知する。
【０１０６】
またこのとき、併せて図９（Ｂ）に示すように上記音声処理部３１の拡声駆動によりスピーカ３３からビープ音Ｂを一定時間出力させることにより、なんらかの警告があることをユーザに認識させるものとしてもよい。
【０１０７】
そして、この警告表示の有無に対応し、且つ上記ステップＤ０４で推定した光源の方向と光量とに対応して、上記ステップＤ０２のＡＥ処理で得た露出値（ＥＶ値）に対する露出補正処理を適宜施す（ステップＤ０７）。
【０１０８】
その後、上記シャッタキー５が全押し操作されたか否か（ステップＤ０８）、まだシャッタキー５の半押し操作状態が維持されているか否か（ステップＤ０９）を繰返し判断することで、ＡＦ，ＡＥの各状態をロックしながらシャッタキー５が全押し操作されるのを待機する。
【０１０９】
ここで、シャッタキー５の半押し状態が解除された場合には、ステップＤ０９でこれを判断し、ＡＦ，ＡＥのロック状態を解いて再び上記ステップＤ０１からの処理に戻る。
【０１１０】
また、シャッタキー５が全押し操作された場合、ステップＤ０８でこれを判断し、ロックしているＡＦ，ＡＥの各値に基づき、撮影処理を実行する（ステップＤ１０）。
【０１１１】
そして、撮影により得た画像データをＪＰＥＧ回路２７にてデータ圧縮した上で記録媒体であるメモリカード２８に記録設定し（ステップＤ１１）、以上で一連の撮影に関する処理を一旦終了し、次の撮影に備えるべく、再び上記ステップＤ０１からの処理に戻る。
【０１１２】
このように、撮像しようとする被写体の方向のみならず、このデジタルカメラ１を取り巻く周囲の照明環境、具体的には光源の方向と光量を正確に認識することにより、例えば上述したようにＡＥ処理で得た露出値を適宜補正するなど、露出条件を適切に設定することができる。
【０１１３】
加えて、シャッタキー５の半押し状態では、撮影条件が不適切と判断した場合にその内容を警告表示するようにした。
【０１１４】
したがって、このデジタルカメラ１のユーザは、シャッタキー５の半押し状態を解除して撮影条件を変更してから再度シャッタキー５を押圧操作するものとして、撮影ミスが生じそうな事態を回避するものとしてもよいし、あるいは意図的にそのままシャッタキー５の全押し操作により撮影を続行するものとしてもよい。
【０１１５】
（第５の実施の形態）
以下本発明をデジタルスチルカメラ（以下「デジタルカメラ」と略称する）に適用した場合の第５の実施の形態について図面を参照して説明する。
【０１１６】
なお、外観上の構成、並びに内部の回路構成については、上記図１及び図２で示したものと基本的に同様であるものとして、同一部分は同一符号を用いるものとし、その図示及び説明は省略する。
【０１１７】
次に上記実施の形態の動作について説明する。
図１０は、基本モードとして撮影モードが選択されている状態で主として制御部２２が実行する処理内容を示すものである。
【０１１８】
その処理当初には、ＣＣＤ１３で撮像している画像をそのままバッファメモリであるＤＲＡＭ２１に保持し、モニタ表示部２で表示させるモニタリング状態を維持しながら、キー入力部２６のシャッタキー５が半押し操作されたか否かを判断する（ステップＥ０１）処理を繰返すことで、該シャッタキー５が半押し操作されるのを待機する。
【０１１９】
シャッタキー５が半押し操作されると、ステップＥ０１でこれを判断し、ＡＦ処理、ＡＥ処理を実行した後に（ステップＥ０２）、受光制御部３０により光検出部７ａ〜７ｆを一斉に駆動してそれぞれの出力信号により各方向の光量を検出する（ステップＥ０３）。
【０１２０】
そして、検出した方向の各光量の相対値により光源の方向を推定すると共に、同絶対値により光源の光量を推定する（ステップＥ０４）。
【０１２１】
その後、上記シャッタキー５が全押し操作されたか否か（ステップＥ０５）、まだシャッタキー５の半押し操作状態が維持されているか否か（ステップＥ０６）を繰返し判断することで、ＡＦ，ＡＥの各状態をロックしながらシャッタキー５が全押し操作されるのを待機する。
【０１２２】
ここで、シャッタキー５の半押し状態が解除された場合には、ステップＥ０６でこれを判断し、ＡＦ，ＡＥのロック状態を解いて再び上記ステップＥ０１からの処理に戻る。
【０１２３】
また、シャッタキー５が全押し操作された場合、ステップＥ０５でこれを判断し、ロックしているＡＦ，ＡＥの各値に基づき、撮影処理を実行する（ステップＥ０７）。
【０１２４】
こうして撮影を実行した後、上記ステップＥ０４で推定した光源の方向と光量の組合わせのパターンを、予め設定している同パターンと比較することで、被写体像の撮影条件が不適切であったか否かを判断し（ステップＥ０８）、不適切であったと判断した場合にのみ、撮影により得た画像データに対して、例えば被写体像が逆行になっていると判断した場合には全体の輝度レベルを所定の幅、例えば「１．０」だけプラス方向に補正する、といった露出補正処理を適宜施す（ステップＥ０９）。
【０１２５】
その後、必要により補正した画像データをＪＰＥＧ回路２７にてデータ圧縮した上で記録媒体であるメモリカード２８に記録設定し（ステップＥ１０）、以上で一連の撮影に関する処理を一旦終了し、次の撮影に備えるべく、再び上記ステップＥ０１からの処理に戻る。
【０１２６】
このように、撮像しようとする被写体の方向のみならず、このデジタルカメラ１を取り巻く周囲の照明環境、具体的には光源の方向と光量を正確に認識することにより、例えば上述したようにＡＥ処理で得た露出値を適宜補正するなど、露出条件を適切に設定することができる。
【０１２７】
加えて、上記撮影条件に対応した補正処理を撮影動作後に得られる画像データに対して実施することにより、デジタルカメラ１である利点を活かし、シャッタチャンスを逃さず撮影を実行し、その後に撮影により得た画像データに対して必要な補正を施した上で媒体であるメモリカード２８に記録することができる。
【０１２８】
（第６の実施の形態）
以下本発明をデジタルスチルカメラ（以下「デジタルカメラ」と略称する）に適用した場合の第６の実施の形態について図面を参照して説明する。
【０１２９】
図１１は、主に背面側からの外観構成を示すもので、基本的には上記図１に示したものと同様であるので、同一部分には同一符号を付してその説明は省略する。
【０１３０】
しかして、図１におけるデジタルカメラ１の各面に配設された光検出部７ａ〜７ｆに代えて、デジタルカメラ１′の上面左端に直方体状の光検出部８が突出形成される。
【０１３１】
この光検出部８は、特に方向性に関係なく周囲からの光を受光してその光量に対応した検出信号を出力する１つの受光素子８ａを中心として、この受光素子８ａを被覆遮蔽する、各面がデジタルカメラ１′の前方（撮像方向）、後方、右側方、左側方、及び上方に面した正方形からなる、直方体から底面を除いた５面体状の遮光体８ｂとからなる。
【０１３２】
しかして、この光検出部８の遮光体８ｂを構成する各面は、例えば液晶シャッタにより構成されるものとし、選択的にその遮光状態を切換えることができるものとする。
【０１３３】
なお、上記デジタルカメラ１′に内蔵される電子回路の構成については上記図２とほぼ同様であり、同一部分には同一符号を付してその図示及び説明は省略するものとする。
しかるに、受光制御部３０は光検出部８の受光素子８ａの駆動及び光量の検出と遮光体８ｂの各面の順次シャッタの開閉切換駆動とを実行する。
【０１３４】
次に、図１２により上記遮光体８ｂの選択駆動状態を例示する。図１２（ａ）は、特に遮光体８ｂの中心に位置する受光素子８ａを示すものであり、この受光素子８ａに各面を順次選択的にシャッタを開状態としてそれぞれの方向の光量を検出する。
【０１３５】
遮光体８ｂの各面を選択的に切換えて順次シャッタを開状態するためには、例えば制御部２２の内蔵するカウンタの値ｎを順次カウントアップしてそのカウント値に基づいた切換動作を実行するものとする。
【０１３６】
図１２（ｂ）はｎ＝１としてその初期値によりデジタルカメラ１の前方（＝撮像方向）の面のシャッタを開状態とし、受光素子８ａを駆動して光量を検出する場合を示す。
【０１３７】
その後、内蔵カウンタの値ｎをカウントアップして「２」とし、図１２（ｃ）に示すようにデジタルカメラ１′の左側方の面のシャッタを開状態とし、受光素子８ａを駆動して光量を検出する場合を示す。
【０１３８】
以下同様に順次内蔵カウンタの値ｎを順次カウントアップしていき、図１２（ｄ），（ｅ）に示すようにデジタルカメラ１′の上方、右側方、及び後方の各面のシャッタをそれぞれ開状態とし、その都度受光素子８ａを駆動して光量を検出する。
【０１３９】
次いで上記実施の形態の動作について説明する。
なお、このデジタルカメラ１′においては、シャッタキー５は２段階のストロークで動作し、一般的に「半押し」と表現されている第１段階の操作状態でＡＦ（自動合焦）、ＡＥ（自動露出）を始めとする撮影の準備を行ない、一般的に「全押し」と表現されている、より強く押圧操作した第２段階の操作状態で撮影を実行するものとする。
【０１４０】
図１３は、基本モードとして撮影モードが選択されている状態で主として制御部２２が実行する処理内容を示すものである。
その処理当初には、ＣＣＤ１３で撮像している画像をそのままバッファメモリであるＤＲＡＭ２１に保持し、モニタ表示部２で表示させるモニタリング状態を維持しながら、キー入力部２６のシャッタキー５が半押し操作されたか否かを判断する（ステップＦ０１）処理を繰返すことで、該シャッタキー５が半押し操作されるのを待機する。
【０１４１】
シャッタキー５が半押し操作されると、ステップＦ０１でこれを判断し、ＡＦ処理、ＡＥ処理を実行した後に（ステップＦ０２）、制御部２２の内蔵カウンタを初期値「１」にリセットする（ステップＦ０３）。
【０１４２】
そして、この内蔵カウンタのカウント値ｎ（＝「１」）にしたがって光検出部８の遮光体８ｂの第ｎ面のみシャッタを開状態として受光素子８ａを駆動し、光量を検出する（ステップＦ０４）。
【０１４３】
次いで、内蔵カウンタのカウント値ｎ（＝「１」）がその最終値「５」ではないことを確認した上で（ステップＦ０５）、該内蔵カウンタを「＋１」更新設定し、再び上記ステップＦ０４からの処理に戻り、遮光体８ｂの次の面のシャッタを開として受光素子８ａにより光量を検出する。
【０１４４】
こうしてステップＦ０４〜Ｆ０６の処理を繰返し実行することにより、内蔵カウンタの値ｎを更新設定しながら遮光体８ｂの各面を順次選択的に切換えてシャッタを開いた状態とし、その面の光量を検出する。
【０１４５】
そして、内蔵カウンタの値ｎが「５」となってステップＦ０４で遮光体８ｂの背面側のシャッタを開状態として受光素子８ａで光量検出を行なった後、ステップＦ０５で内蔵カウンタの値ｎが「５」となっていると判断すると、以上で遮光体８ｂの駆動制御による各面の光量の検出を終えたものとして、次に上記検出した各面に対応する方向の光量の相対値により光源の方向を推定すると共に、同絶対値により光源の光量を推定する。
【０１４６】
ここで、例えばデジタルカメラ１のレンズ鏡筒がある、撮像方向である前面側に対向した遮光体８ｂの面を開状態としたｎ＝１の時の受光素子８ａの検出出力が、デジタルカメラ１の背面側に対向した遮光体８ｂの面を開状態としたｎ＝５の時の受光素子８ａの検出出力より一定の割合を越えて大きい場合は、被写体像が逆光となっている可能性がきわめて高いため、上記ステップＦ０２のＡＥ処理で得た露出値（ＥＶ値）に対し、所定の幅、例えば「１．０」だけプラス方向に補正する、といった露出補正処理を適宜施す（ステップＦ０７）。
【０１４７】
その後、上記シャッタキー５が全押し操作されたか否か（ステップＦ０８）、まだシャッタキー５の半押し操作状態が維持されているか否か（ステップＦ０９）を繰返し判断することで、ＡＦ，ＡＥの各状態をロックしながらシャッタキー５が全押し操作されるのを待機する。
【０１４８】
ここで、シャッタキー５の半押し状態が解除された場合には、ステップＦ０９でこれを判断し、ＡＦ，ＡＥのロック状態を解いて再び上記ステップＦ０１からの処理に戻る。
【０１４９】
また、シャッタキー５が全押し操作された場合、ステップＦ０８でこれを判断し、ロックしているＡＦ，ＡＥの各値に基づいて撮影処理を実行する（ステップＦ１０）。
【０１５０】
そして、撮影により得た画像データをＪＰＥＧ回路２７にてデータ圧縮した上で記録媒体であるメモリカード２８に記録設定し（ステップＦ１１）、以上で一連の撮影に関する処理を一旦終了し、次の撮影に備えるべく、再び上記ステップＦ０１からの処理に戻る。
【０１５１】
このように、撮像しようとする被写体の方向のみならず、このデジタルカメラ１を取り巻く周囲の照明環境、具体的には光源の方向と光量を正確に認識することにより、例えば上述したようにＡＥ処理で得た露出値を適宜補正するなど、露出条件を適切に設定することができる。
【０１５２】
また、光検出部８では多数の受光素子を用いることなく、構造を簡略化できると共に、光検出部８の一箇所で多方向の光量を検出することができるものとしたので、ユーザがデジタルカメラ１を把持する際の持ち方等に制約を与えることなく、撮影光の入射方向とその光量とを推定できるため、その推定結果に応じて露出条件を適切に設定することができる。
【０１５３】
なお、上記第１乃至第６の実施の形態は、いずれも本発明をデジタルスチルカメラに適用した場合について説明したものであるが、本発明はこれに限らず、銀塩フィルムを用いるカメラや、ビデオムービーカメラ等の撮像装置にも適用可能であることは勿論である。
【０１５４】
その他、本発明は上記実施の形態に限らず、その要旨を逸脱しない範囲内で種々変形して実施することが可能であるものとする。
【０１５５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１５６】
【発明の効果】
請求項１記載の発明によれば、撮影光の入射方向とその光量とを推定できるため、その推定結果に応じて露出条件を適切に設定することができる。
【０１５７】
請求項２記載の発明によれば、光量検出手段で多くの受光素子を用いることなく、また装置の把持の仕方等に制約を与えることなく、撮影光の入射方向とその光量とを推定できるため、その推定結果に応じて露出条件を適切に設定することができる。
【０１５８】
請求項３記載の発明によれば、上記請求項１記載の発明の効果に加えて、光量検出手段をなす受光素子の数を減らし、装置構成を簡略化できる。
【０１５９】
請求項４記載の発明によれば、上記請求項１または２記載の発明の効果に加えて、指示に従って正しい撮影方向から撮影を実施できるので、撮影ミスを減らすことができる。
【０１６０】
請求項５記載の発明によれば、上記請求項１または２記載の発明の効果に加えて、例えばデイライトシンクロなどのような技法を用いた撮影を自動的に実行でき、ユーザに負担をかけることなく撮影ミスを減らすことができる。
【０１６１】
請求項６記載の発明によれば、上記請求項１または２記載の発明の効果に加えて、警告に従ってユーザが撮影条件を変えることで、撮影ミスを減らすことができる。
【０１６２】
請求項７記載の発明によれば、上記請求項１または２記載の発明の効果に加えて、露出条件を補正した上で撮影に移行するため、撮影ミスを減らすことができる。
【０１６３】
請求項８記載の発明によれば、上記請求項１または２記載の発明の効果に加えて、シャッタチャンスを逃さず撮影を実行し、デジタルカメラの利点を活かして撮影により得た画像データに必要な補正を施した上で媒体に記録できる。
【０１６４】
請求項９記載の発明によれば、撮影光の入射方向とその光量とを推定できるため、その推定結果に応じて露出条件を適切に設定することができる。
【図面の簡単な説明】
【図１】本発明の第１の実施の形態に係るデジタルスチルカメラの外観と受光素子の配置構成とを示す斜視図。
【図２】同実施の形態に係る回路構成を示すブロック図。
【図３】同実施の形態に係る撮影モード時の処理内容を示すフローチャート。
【図４】同実施の形態に係る他のデジタルスチルカメラの外観と受光素子の配置構成を示す平面図。
【図５】本発明の第２の実施の形態に係る撮影モード時の処理内容を示すフローチャート。
【図６】同実施の形態に係る撮影条件とそれに対応した指示表示状態を例示する図。
【図７】本発明の第３の実施の形態に係る撮影モード時の処理内容を示すフローチャート。
【図８】本発明の第４の実施の形態に係る撮影モード時の処理内容を示すフローチャート。
【図９】同実施の形態に係る撮影条件とそれに対応した警告表示状態を例示する図。
【図１０】本発明の第５の実施の形態に係る撮影モード時の処理内容を示すフローチャート。
【図１１】本発明の第６の実施の形態に係るデジタルスチルカメラの外観と受光素子の配置構成とを示す斜視図。
【図１２】同実施の形態に係る光検出部の遮光体の選択切換状態を例示する図。
【図１３】同実施の形態に係る撮影モード時の処理内容を示すフローチャート。
【符号の説明】
１，１′…デジタルカメラ
２…モニタ表示部
３…十字キー
４…決定キー
５…シャッタキー
６…各種メニューキー
７ａ〜７ｆ…光検出部
８…光検出部
８ａ…受光素子
８ｂ…遮光体
１１…モータ（Ｍ）
１２…レンズ光学系
１３…ＣＣＤ
１４…タイミング発生器（ＴＧ）
１５…垂直ドライバ
１６…サンプルホールド回路（Ｓ／Ｈ）
１７…Ａ／Ｄ変換器
１８…カラープロセス回路
１９…ＤＭＡコントローラ
２０…ＤＲＡＭインタフェース（Ｉ／Ｆ）
２１…ＤＲＡＭ
２２…制御部
２３…ＶＲＡＭコントローラ
２４…ＶＲＡＭ
２５…デジタルビデオエンコーダ
２６…キー入力部
２７…ＪＰＥＧ回路
２８…メモリカード
２９…ストロボ制御部
３０…受光制御部
３１…音声処理部
３２…ストロボランプ
３３…スピーカ（ＳＰ）
Ａ…矢印
Ｂ…ビープ音
Ｌ…（光源からの）光
Ｓ…被写体
Ｗ…警告メッセージ
【図１】
2004129035.tif 000003
【図２】
2004129035.tif 000004
【図３】
2004129035.tif 000005
【図４】
2004129035.tif 000006
【図５】
2004129035.tif 000007
【図６】
2004129035.tif 000008
【図７】
2004129035.tif 000009
【図８】
2004129035.tif 000010
【図９】
2004129035.tif 000011
【図１０】
2004129035.tif 000012
【図１１】
2004129035.tif 000013
【図１２】
2004129035.tif 000014
【図１３】
2004129035.tif 000015